(57)【要約】  本発明は、外側ハウジング（１）と、注射器本体（１０）と、針シールド（３０）とを備える注射デバイスに関する。注射器本体（１０）と針シールド（３０）の両方が、ハウジング（１）に入れ子状に伸縮自在に可動装着され、これにより、針シールド（３０）は、第１の位置と第２の位置との間でハウジング（１）に対して移動することができ、注射器本体（１０）は、伸長位置と収縮位置との間でハウジング（１）に対して移動することができる。【選択図】図２
2015536730.tif 000002
【特許請求の範囲】
【請求項１】
取り付け可能な注射針を介して複数の設定可能な用量の液剤を注射するための注射デバイスであって、
外側ハウジング（１）と、
注射器本体（１０）であって、
前記液剤用のカートリッジ（１１）と、
注射されるべき用量を設定するための用量設定機構と、
設定された用量を排出するための用量注射機構と、
注射針（２０）を取り付けることができる針インターフェース（１２）と
を保持する注射器本体（１０）と、
第１の位置と第２の位置との間で前記ハウジング（１）に対して入れ子状に伸縮自在にかつ反復可能に移動できる針シールド（３０）であって、
前記第１の位置は、前記取り付けられた注射針（２０）が前記針シールド（３０）により軸方向に覆われる位置であり、
前記第２の位置は、前記取り付けられた注射針（２０）の少なくとも一部が、すぐに注射を行うことができるように前記針シールド（３０）を越えて延在する位置である、針シールド（３０）と
を備え、
前記注射器本体（１０）は、収縮位置と伸長位置との間で前記ハウジング（１）に対して入れ子状に伸縮自在にかつ反復可能に移動することができ、
前記収縮位置は、前記針インターフェース（１２）が前記針シールド（３０）により覆われる位置であり、
前記伸長位置は、前記針インターフェース（１２）が前記針シールド（３０）を越えて突出し、それによりユーザが前記注射針（２０）を前記針インターフェース（１２）に取り付けることを可能にする位置である、注射デバイス。
【請求項２】
前記針シールド（３０）は、ばね手段（Ｓ）のような弾性要素により前記第１の位置の方へ促される、請求項１に記載の複数の設定可能な用量を注射するための注射デバイス。
【請求項３】
前記注射器本体（１０）は、ばね手段（Ｓ）のような弾性要素により前記収縮位置の方へ促される、請求項１又は２に記載の複数の設定可能な用量を注射するための注射デバイス。
【請求項４】
前記針シールド（３０）を前記第１の位置の方へ促し、前記注射器本体（１０）を前記収縮位置の方へ促す前記ばね手段（Ｓ）は、単一のばね（Ｓ）である、請求項３に記載の複数の設定可能な用量を注射するための注射デバイス。
【請求項５】
前記ばね（Ｓ）は、前記針シールド（３０）と前記注射器本体（１０）との間に包含される引張ばね（Ｓ）である、請求項４に記載の複数の設定可能な用量を注射するための注射デバイス。
【請求項６】
前記外側ハウジング（１）は、前記針シールド（３０）がその第１の位置にあるとき、前記針シールド（３０）上の第１の停止面（３１）に当接する遠位停止面（２）を画定する、請求項１から５の何れか一項に記載の複数の設定可能な用量を注射するための注射デバイス。
【請求項７】
前記外側ハウジング（１）は、前記針シールド（３０）がその第２の位置にあるとき、前記針シールド（３０）上の第２の停止面（３２）に当接する近位停止面（３）を画定する、請求項１から６の何れか一項に記載の複数の設定可能な用量を注射するための注射デバイス。
【請求項８】
前記注射器本体（１０）上の長手方向の突起（１６）は、前記注射器本体（１０）がその伸長位置にあるとき、前記ハウジング（１）に当接する遠位端部（１７）を画定する、請求項１から７の何れか一項に記載の複数の設定可能な用量を注射するための注射デバイス。
【請求項９】
前記長手方向の突起（１６）は、前記注射器本体（１０）がその収縮位置にあるとき、前記ハウジング（１）に当接する近位端部（１８）を画定する、請求項８に記載の複数の設定可能な用量を注射するための注射デバイス。
【請求項１０】
前記第１の停止面（３１）及び前記第２の停止面（３２）は、前記針シールド（３０）の近位延在部（３３）上に提供される、請求項６から９の何れか一項に記載の複数の設定可能な用量を注射するための注射デバイス。
【請求項１１】
前記近位延在部（３３）は、前記注射器本体（１０）の案内器具（１５）に回転不能に案内される、請求項１０に記載の複数の設定可能な用量を注射するための注射デバイス。
【請求項１２】
前記ばね（Ｓ）は、前記近位延在部（３３）と前記注射器本体（１０）との間に包含される、請求項１０又は１１に記載の複数の設定可能な用量を注射するための注射デバイス。
【請求項１３】
前記ばね（Ｓ）は、前記近位延在部（３３）と前記注射器本体（１０）に結合されたリング（２５）との間に包含される、請求項１２に記載の複数の設定可能な用量を注射するための注射デバイス。
【請求項１４】
その第２の位置の又はその第２の位置に近づいている前記針シールド（３０）は、前記設定された用量を注射するための前記用量注射機構を作動させる、請求項１から１３の何れか一項に記載の複数の設定可能な用量を注射するための注射デバイス。
【発明の詳細な説明】
【技術分野】
【０００１】
本発明は、注射中に隠される取り付け可能な注射針を介して複数の用量の液剤を注射するための注射デバイスに関する。注射デバイスは、スライド可能な注射器本体を担持する外側ハウジングと、注射針を覆い、好ましくは、注射を行う自動ばね機構を始動及び解除するために使用されるスライド可能な針シールドとを有する。
【背景技術】
【０００２】
ＷＯ２０１２／０６７５８３は、いわゆる単発注射デバイス、即ち、所定の用量の注射を１回だけ行う注射デバイスを開示する。使用に先立ちカートリッジの薬剤を混ぜると、外側要素が回転し、次に注射器本体が近位に移動するので、注射針は、入れ子状に伸縮自在に移動することができるシールドにより覆われる。注射中に、シールドはユーザの皮膚に押し付けられ、ゆえに近位に移動される。所定の用量は、ユーザが注射ボタンを押すと、放出される。シールドをユーザの皮膚から取り除くと、ばねは、遠位方向のシールドをロックされた位置に促す。したがって、注射器本体及びシールドは、注射デバイスが廃棄された時点でのみ、移動可能である。ゆえに、注射針を交換し、２回目の注射を行うことは不可能である。
【０００３】
複数の設定可能な注射用の自動ねじりばね駆動式注射デバイスが、ＥＰ  ３３８，８０６に開示される。１つの実施形態では、注射針は、入れ子状に伸縮自在に移動することができる針シールドにより覆われる。シールドがユーザの皮膚に押し付けられると、圧縮ばねがペンの本体を前方に駆動し、それによって、針カニューレの先端がユーザの皮膚を突き刺し、ねじりばねが解放されて、注射デバイスに含まれる液剤の注射が行われる。しかし、注射針の交換は、ユーザが、注射針にアクセスするために注射針シールドを取り外す必要があるため、手間がかかる。
【０００４】
ＵＳ７，１１２，１８７による、シールドされた注射針を有する異なるばね駆動式のペン形状注射デバイスが知られている。開示された注射デバイスは、ハウジングの内側に提供される圧縮ばね形態の作動ばねが、注射中にピストンロッドを前方に強く押す自動ばね駆動式の注射である。そのような自動注射デバイスの重要な特徴は、用量設定中に、注射デバイスから移動する要素がないということである。したがって、注射デバイスは、操作中に一定の長さを有する。この特定の注射デバイスは、３つの異なるモードから１つを選ぶために回転するモード選択器を有する。１つのモードでは、シールドはロックされ、異なるモードでは、シールドはロック解除される。ロック解除された位置で、シールドは、伸長位置と収縮位置との間で軸方向に移動することができる。収縮位置で、ユーザは、注射デバイスの遠位端部を利用できるので、注射針を着脱することができる。さらに、モード選択器は、シールドが注射中にその収縮位置に移動すると、設定された用量が放出される注射位置に対して回転することができる。
【０００５】
注射の始動が針シールドの後方移動により行われる用量が設定できる複数回の注射用の自動ばね駆動式注射デバイスにとって、無菌注射針の交換は、特に課題である。注射デバイスの針インターフェースを繰返し利用するために、針シールドを取り外されなければならず、したがって、ユーザは、注射針を連結又は連結解除するために、針ハブをインターフェース上へ回転する又はねじることができる。しかしながら、注射を行う際に、針シールドは、針カニューレの遠位部分が本体に突き刺さるときに、用量の放出を始動しなければならない。
【０００６】
ＥＰ３３８，８０６で、この件は、注射針の交換中に針シールドを単に取り外すことにより解決されるが、ＵＳ７，１１２，１８７では、モード選択器を含む複雑なメカニズムによって行われる。しかしながら、両方の例において、ユーザは、多くの異なるステップを実行し、注射を行うシーケンス中のどのステップをユーザが実行したのかを覚えていなければならないので、注射デバイスをどのように取り扱うかをユーザに説明することは難しい。
【０００７】
複数回投与のための注射デバイスは、新たな注射ごとに装着される無菌注射針を有するために、複数回の注射と注射の間に常に注射針を交換できなければならない。注射と注射の間に注射針を交換することは、シールドされる注射針を有し、針シールドが注射を始動する注射デバイスにおいては特に手間がかかる。
【発明の概要】
【発明が解決しようとする課題】
【０００８】
したがって、本発明の目的は、用量の薬剤の複数回の自動注射用のシールドで始動されるばね駆動式注射デバイスであって、隠れた注射針の交換が非常に簡単であり、ユーザへの広範な説明をまったく必要としないが、注射デバイスと針交換機構との操作が一目瞭然である注射デバイスを提供することである。
【課題を解決するための手段】
【０００９】
本発明は請求項１において定義される。従って、本発明の１つの態様では、注射デバイスは、好ましくはシールドで始動され、３つの主要な構成要素、
外側ハウジングと、
針シールドと、
注射器本体と
を備える。
【００１０】
外側ハウジングは、通常、操作中にユーザの手の中に保持される。
【００１１】
注射器本体は、液剤を含むカートリッジを保持及び固定する。注射器本体は、注射されるべき用量を設定するための用量設定機構と、設定された用量を排出するための用量注射機構とをさらに有する。
【００１２】
針シールドは、例えば、ＰＣＴ／ＥＰ２０１３／０６３２５０に開示されるように、注射中に注射針を覆い、また好ましくは、設定された用量を放出するためにも使用される。
【００１３】
針シールドと注射器本体の両方が、ハウジングに対して入れ子状に伸縮自在に移動することができ、注射器本体は、針シールドにより覆われる注射針を担持する。
【００１４】
注射の準備ができた使用の第１の状況では、ユーザは、注射器本体を遠位方向に押し、これにより、注射器本体に提供される針インターフェースが針シールドを越えて延在し、ユーザの注射針の交換を可能にする。注射器本体での前方への押圧は、ユーザが指を注射器本体の近位端部に押しつけることにより、簡単に行われる。いったんユーザが自身の押力を注射器本体から取り除くと、ばね手段などが注射器本体を近位方向に促し、これにより注射針が持ち上がり、針シールドにより覆われる。したがって、注射器本体は、収縮位置と伸長位置との間で移動することができ、この場合、デフォルトの位置は、収縮位置である。
【００１５】
注射針が装着され、注射器本体がその収縮位置にあると、ユーザは、注射を行う準備ができる。これは、針シールドをユーザの皮膚の表面に押しつけ、針シールドを第１の位置から第２の位置まで移動させることにより、行われる。これにより、針シールドが近位方向にスライドし、注射針がユーザの皮膚に突き刺さるのと同時に、注射機構を解除して注射器本体に含まれる設定された用量の薬剤を放出することができる。したがって、針シールドは、第１の位置と第２の位置との間で作動することができ、この場合、第１の位置がデフォルトの位置である。
【００１６】
それゆえに、シールドが始動されることにより、シールドが第２の位置にあるとき、又はシールドが第２の位置に接近しているときには、設定された用量が、好ましくは自動的に注射されるように放出されるが、針シールドが第２の位置にあるときには、設定された用量の手動放出も予測できるだろうことが意味される。
【００１７】
ばね手段は、針シールドをその第１の位置に及び／又は注射器本体をその収縮位置に付勢するために提供される。これらのばね手段は、好ましくは、注射器本体を近位に、針シールドを遠位に促す特定の位置に提供される螺旋状に巻かれたばねである。
【００１８】
提供されるばね手段は、圧縮ばね又は引張ばねのどちらでもよい（若しくはそれらの組み合わせでもよい）。任意の数の異なるばねが提供されてもいいが、１つの同一のばねを両方の目的で利用することもできる。
【００１９】
好ましい実施形態では、１つの単一の、好ましくは、螺旋状に巻かれた、引張ばねは、針シールドが近位に移動するとき又は注射器本体が遠位に移動するときにばねが引張される、針シールドと注射器本体との間に包含することができる。引張ばねが引張されると、引張ばねが、引張される時に、引張される方向と反対の軸方向の力を提供するので、ばねにより、針シールドを遠位方向に、注射器本体を近位方向に促す力が加わる。
【００２０】
１つの単一のばねのみを使用することにより、注射デバイスの機構を単純化することができ、生産コストを低減することができる。
【００２１】
複数の停止面が提供される。１つの実施形態では、外側ハウジングは、針シールドがその第１の位置にあり、それにより針シールドの軸方向の移動が遠位方向に制限されるとき、針シールド上の第１の停止面に当接する遠位停止面を画定する。
【００２２】
更に、外側ハウジングは、針シールドがその第２の位置にあり、それにより針シールドの軸方向の移動が近位方向に制限されるとき、針シールド上の第２の停止面に当接する近位停止面を画定する。
【００２３】
ハウジングに対する注射器本体の軸方向の移動は、溝形係合（ｔｏｎｇｕｅ  ａｎｄ  ｇｒｏｏｖｅ  ｅｎｇａｇｅｍｅｎｔ）により調節することができる。１つの実施形態では、注射器本体の長手方向の凸部（ｌｏｎｇｉｔｕｄｉｎａｌ  ｔｏｎｇｕｅ）は、注射器本体がその伸長位置にあるとき、ハウジングの対応する溝の端部に当接する遠位端部を画定する。この長手方向の凸部は、注射器本体がその収縮位置にあるとき、ハウジングの対応する溝に当接する近位端部を更に画定する。
【００２４】
針シールドには、止め具（ｓｔｏｐｓ）を担持する近位延在部を提供することができる。近位延在部は、例えば、針シールド上に提供される第１の停止面及び第２の停止面を担持することができる。
【００２５】
近位延在部は、好ましくは、注射器本体の案内器具に回転不能に案内される。代替的には、延在部は、針シールドそれ自体の単なる延長部分とすることができ、それにより、延在部は，注射器本体周囲の３６０度全体に伸び、注射器本体の外側表面をスライドする。
【００２６】
１つの実施例では、ばねは、例えば、シールドの近位延在部に結合されることにより、シールドに結合された１つの端部に存在する。ばねの反対の端部は、例えば、注射器本体に固定されたリング形状の要素に結合されることにより、注射器本体に固定される。ばねが針シールドと注射器本体との間で作動する引張ばねであるので、これら２つの部分は、常に反対の軸方向に促される。実施例において、ばねは、遠位方向の針シールドを第１の位置に促し、近位方向の注射器本体を収縮位置に促す引張ばねである。
【００２７】
針シールドは、第２の位置の又は第２の位置に向かう途中のシールドが、設定された用量を注射するための自動用量注射機構を始動させるように設計される。しかしながら、始動している機構は、注射器本体が注射針を交換するために前方に移動するときには解除されず、シールドが第２の位置にスライドされるときにだけ解除されるように設計される。
【００２８】
定義
「注射ペン」は、典型的には、書くための万年筆のような縦長の又は細長い形状を有する注射装置である。そのようなペンは通常管状断面を有するが、それらは、三角形、長方形又は正方形、若しくはこれらの幾何形状の任意の変形例などの異なる断面を容易に有することがある。
【００２９】
本明細書で使用する場合、「薬剤（ｄｒｕｇ）」という用語は、制御された方法で中空針などの供給手段を通過することができる任意の薬剤含有流動可能薬物、例えば、液体、溶液、ジェル又は微細懸濁液などを包含することを意味する。代表的な薬剤は、ペプチド、タンパク質（例えば、インシュリン、インシュリン類似体、及びＣペプチド）、及びホルモン、生物学的な由来の又は生物学的に活性な化学物質、ホルモン剤、及び遺伝子に基づく化学物質、栄養フォーミュラ、並びに固体（調剤される）又は液体の両方の形態をとる他の物質などの薬剤を含む。
【００３０】
「カートリッジ」は、薬剤を包含する容器を説明するために使用される用語である。カートリッジは通常、ガラスから作られるが、任意の適切な高分子化合物から形成されることもある。カートリッジ又はアンプルは、好ましくは、例えば、注射針の後ろ側の端部によって突き通すことができる「隔膜」と呼ばれる、突き通すことができる膜によって一端部において密封される。反対側の端部は、典型的には、ゴム又は適切な高分子化合物から作られるプランジャー又はピストンによって閉じられる。プランジャー又はピストンは、カートリッジの内側でスライド可能に移動されることができる。突き通すことができる膜と移動可能なプランジャーとの間の空間は、薬品を保持する空間の容積をプランジャーが低減させることによって押し出される薬品を保持する。しかし、任意の種類の容器が、硬性でも可撓性でも、薬剤を包含するために使用できる。
【００３１】
さらに、「注射針」という用語は、液体を供給又は除去する目的で、対象者の皮膚を突き刺すように適合される貫通部材を定義する。多くのペンシステムについて、注射針の針カニューレは、ユーザの皮膚を突き刺すための前方部分と、カートリッジの隔膜を突き刺し、カートリッジの内部とユーザの皮下層との間に液体の流れを形成する後方部分とを備える。
【００３２】
注射デバイスと併用される「自動」という用語の使用は、注射デバイスのユーザが投与時の薬剤の放出に必要な力を供給することなく、注射デバイスが注射を実行できることを意味する。力は、通常、電気モーター又はばねなどの自動手段により、自動で供給される。ばねには、通常、用量設定中にユーザによって張力がかけられるが、そのようなばねには通常、ごくわずかな用量を供給するという問題を回避するために、予め張力がかけられている。代替的には、ばねには、何回かの投与を通じて薬剤カートリッジ全体を空にするに十分な予荷重をもって、製造者により十分な予荷重を加えることができる。通常、ユーザは、注射を行うときに、ばねに蓄積された力を解放するために、例えば、注射デバイスのボタンの形状などのラッチ機構を始動させる。
【００３３】
本明細書で引用される公報、特許出願及び特許を含む全てを参照することは、それら全体を参照することにより、かつ各参照が個々に、具体的に参照することにより組み込まれることが示され、その全体が本明細書に記載されたのと同程度まで、援用される。
【００３４】
全ての項目及び副項目は、本明細書の中において便宜上使用されているだけであり、本発明を任意の方法で限定するものとして構成されるべきではない。
【００３５】
任意の及び全ての実施例の使用、又は本明細書中で提供される例示的な文言（例えば「など（ｓｕｃｈ  ａｓ）」）の使用は、単に発明の理解を容易にすることを企図するものであり、特許請求の範囲で主張されない限り、発明の範囲に限定を課するものではない。本明細書中のいかなる言語も、任意の特許請求されていない要素を本発明の実施に対する本質的なものとして解釈すべきではない。
【００３６】
本明細書中の特許文献の引用及び援用は、便宜上行われるにすぎず、そのような特許文献の有効性、特許性、及び／又は権利行使可能性のいかなる見解をも反映するものでもない。
【００３７】
本発明は、適用法によって認められるように、本明細書に添付された特許請求の範囲の中で列挙される対象の全ての変形及び同等のものを含む。
【００３８】
本発明は、好ましい実施形態に関連して、また以下の図面を参照して、下記により十分に説明される。
【図面の簡単な説明】
【００３９】
【図１】１Ａから１Ｃは、注射デバイスの断面図を示す。
【図２】注射デバイスの主要部分の分解図を示す。
【図３】図１Ａのデフォルトの位置での注射デバイスの図を示す。
【発明を実施するための形態】
【００４０】
図面は、明確にするために概略的かつ単純化されており、本発明の理解に本質的な詳細部分だけが示され、他の詳細部分は省略される。全体を通して、同一の参照番号は、一致又は対応する部分に対して使用される。
【００４１】
以下において、「上」及び「下」、「右」及び「左」、「水平」及び「垂直」、「時計回り」及び「反時計回り」、若しくは類似の関連する表現が使用される場合、それらは添付図面に対してのみ言及され、実際の使用状況に対して言及されるものではない。示される図面は、種々の構造の構成及びそれらの相対的寸法が、例示目的のみの役割を果たすと意図される理由から、概略的表示である。
【００４２】
以下の説明の文脈において、便宜上、添付図面における「遠位端部」という用語が、通常、注射針を担持する注射デバイスの端部を指すことを意味するのに対し、「近位端部」という用語は、注射針から離れた方を指すことを意味すると定義される。
【００４３】
図１Ａから１Ｃは、主に４つの部分：
外側ハウジング１と、注射器本体１０と、針シールド３０と、装着可能な注射針２０とを備える注射デバイスを開示する。
【００４４】
外側ハウジング１は、ユーザが手で保持する外側部分であり、注射器本体１０と針シールド３０との両方が、入れ子状に伸縮自在に移動できる方法でハウジング１に装着される。
【００４５】
注射器本体１０は、カートリッジ１１を保持し、針受けインターフェース１２が遠位に提供される。既知のペン針２０は、針インターフェース１２に装着され、これにより、針カニューレ２２の後ろ部分２１がカートリッジ１１内に突き刺さり、前部分２３は遠位方向を指す。針カニューレ２２は、針インターフェース１２と噛合する手段を有するハブ２４に固定される。
【００４６】
ピストン１３は、カートリッジ１１内部に提供され、その中で、ピストン１３は、用量注射機構により制御される図示されないピストンロッドにより前方に移動する。この前方への移動により、任意の量の薬剤が、針カニューレ２０の管状空洞（ｌｕｍｅｎ）を通して漏れる。前方への移動とこの移動により放出される分量が、用量設定機構により制御される。用量注射機構は、好ましくは、針シールド３０により起動される自動ばね駆動式機構を備える。
【００４７】
注射器本体１０は、ハウジング３０に入れ子状に伸縮自在に装着され、これにより、注射器本体１０は、２つの最遠位置、即ち、収縮位置と伸長位置との間で移動することができる。
【００４８】
収縮位置は、注射器本体１０に圧力が加えられないときに、注射器本体１０が静止するであろうデフォルトの位置である。収縮位置は、図１Ａ及び１Ｂに示される。
【００４９】
ユーザは、ペン針２０を交換したいときには、圧力を注射器本体１０の近位端部１４に加えることができ（図１Ｃの矢印Ａにより示される）、これにより注射器本体１０は、軸方向に前方に向かって、針インターフェース１２全体が図１Ｃで示されるように針シールド３０の範囲外にある伸長位置に移動するので、ユーザは、針インターフェース１２にアクセスして、ペン針２０を交換することができる。
【００５０】
新たなペン針２０が装着され、近位圧力（Ａ）が取り除かれると、注射器本体１０は、図１Ａに示されるそのデフォルトの位置にスライドするだろう。これは、注射器本体１０をハウジング１に対する近位位置に促すばね要素Ｓの力のためである。（ばね要素Ｓは、明確にするために直線で示されるが、好ましくは螺旋状に巻かれた引張ばねである。）
【００５１】
同一のばね要素Ｓ又は代替的には第２のばね要素は、針カニューレ２２を覆うために、針シールド３０を遠位方向に促す。針シールド３０がユーザの皮膚に押し付けられると（図１Ｂの矢印「Ｂ」により示される）、針シールド３０は、図１Ｂで開示されるように近位に移動する。この近位移動は、好ましくは、薬剤の排出を行うために注射機構を解除する。
【００５２】
この図示されない解除機構は、針シールド３０の近位移動が解除を始動するのに対し、注射器本体１０の遠位移動が解除を始動しないように提供される。
【００５３】
図２は、４つの部分、即ち、外側ハウジング１、注射器本体１０、装着可能なペン針２０、及び針シールド３０を開示する。これら４つの部分の内部関係が、図３に開示される。
【００５４】
外側ハウジング１には、図３に開示されるように、遠位停止面２及び近位停止面３が内部に提供される。
【００５５】
針シールド３０には、作動中に注射器本体１０に提供される案内器具１５に案内される近位延在部３３が提供される。近位延在部３３は、第１の停止面３１と第２の停止面３２とを画定する。
【００５６】
代替的には、針シールド３０の近位延在部３３は、３６０度囲むように、したがって、注射器本体１０を完全に囲むように形成することができ、この場合、注射器本体１０の外面により案内されるので、別個の案内手段は不要である。
【００５７】
デフォルトの位置（図１Ａ及び図３）において、第１の停止面３１は、ハウジングの遠位停止面２と係合し、針シールド３０がその第２の位置（図１Ｂ）に移動すると、第２の停止面３２は、ハウジング１の近位停止面３に係合する。したがって、針シールド３０は、外側ハウジング１で画定される遠位停止面２と近位停止面３との間で移動することができる。
【００５８】
内部では、ハウジング１に溝４が提供され、この溝４では、注射器本体１０の外面に提供される長手方向のナット１６が案内される。この長手方向のナット１６は、遠位端部１７及び近位端部１８を画定し、注射器本体１０がハウジング１に対して移動できる軸方向の作動範囲を更に画定する。
【００５９】
注射器本体１０には、注射器本体に固定され、外側に向かう突起２６が提供されるリング２５が更に装備される。ばね要素Ｓは、好ましくは、図２の破線Ｓにより示されるように、リング２５上のこの外側に向かう突起２６と、針シールド３０の近位延在部３３に提供される内側に向かう突起３４との間に提供される。このばね要素Ｓは、好ましくは、針シールド３０が近位に移動するとき、又は注射器本体１０が遠位に移動するときに引張される引張ばねである。
【００６０】
更に図２及び図３で開示されるように、外側ハウジング１は、２つの部分１Ａ、１Ｂから作られており、好ましくは、スナップ結合、接着、又は溶接により結合される。ハウジング１には、設定された用量が調べられる窓５が更に提供される。注射器本体１０に密閉された用量設定機構の一部である目盛り表示器上で通常は担持されている用量を示す視覚的手段として、注射器本体１０は、好ましくは透明であり、又は少なくとも窓５と位置合わせされた透明な領域を有する。
【００６１】
いくつかの好ましい実施形態が上記に示されたが、発明はこれらに限定されるものではなく、下記の特許請求の範囲において定義される主題の範囲内で、他の方法においても実施され得ることが強調されるべきである。針シールドの相対的な軸方向の移動は、本発明の先述の例以外の方法でも設計することができるだろう。例えば、注射器本体を押すための代替案として、外側ハウジングと一体化されたスライダーの使用が挙げられる。代替的には、回転移動を軸方向移動に変換するために、ねじれ機構を提供することができるだろう。最後に、単に注射デバイスを傾けることにより重力が移動を実行できるように、ばねが適合されてもよいだろう。
【図１Ａ】
2015536730.tif 000003
【図１Ｂ】
2015536730.tif 000004
【図１Ｃ】
2015536730.tif 000005
【図２】
2015536730.tif 000006
【図３】
2015536730.tif 000007
【国際調査報告】
2015536730.tif 000008
2015536730.tif 000009
2015536730.tif 000010